(57)【要約】【課題】新しいコミュニケーションの場を居住者に提供できる建築物の室内構造を提供する。【解決手段】建築物の室内構造１０はリビング２１に面するスキップフロア５０と、リビング２１とスキップフロア５０との間に設けられる主通路３１と、スキップフロア５０から利用できるように主通路３１とスキップフロア５０との間に設けられるカウンター６０とを備える。【選択図】図２
2019148100.tif 000002
【特許請求の範囲】
【請求項１】
リビングに面するスキップフロアと、
前記リビングと前記スキップフロアとの間に設けられる主通路と、
前記スキップフロアから利用できるように前記主通路と前記スキップフロアとの間に設けられるカウンターとを備える
建築物の室内構造。
【請求項２】
前記スキップフロアに対する前記カウンターの天板の高さは前記スキップフロアに形成される前記リビング側の縁に腰掛けた状態での使用に適合するように設定される
請求項１に記載の建築物の室内構造。
【請求項３】
前記主通路と前記スキップフロアとの間を昇降するための階段をさらに備え、
前記階段は前記カウンターの隣に設置される
請求項１または２に記載の建築物の室内構造。
【請求項４】
前記主通路に沿う方向における前記スキップフロアの一方の端と他の空間とを区画する壁をさらに備え、
前記階段は前記カウンターと前記壁との間に設置される
請求項３に記載の建築物の室内構造。
【請求項５】
前記階段の段数は３段である
請求項３または４に記載の建築物の室内構造。
【請求項６】
前記カウンターの下方に設けられる足置きをさらに備える
請求項１〜５のいずれか一項に記載の建築物の室内構造。
【発明の詳細な説明】
【技術分野】
【０００１】
本発明はスキップフロアを備える建築物の室内構造に関する。
【背景技術】
【０００２】
スキップフロアを備える建築物の室内構造が知られている。例えば、特許文献１はスキップフロアの一例であるステージリビング(３１)が設置される建築物の室内構造を開示している。この室内構造では、ピットリビング(２１)に面するようにステージリビング(３１)が設置される。通路スペース(１１)にはデスク(５１)、および、デスク(５１)を利用するための椅子が設置される。
【先行技術文献】
【特許文献】
【０００３】
【特許文献１】特開２００９−４６９２５号公報
【発明の概要】
【発明が解決しようとする課題】
【０００４】
スキップフロアを備える室内構造は空間の効率的な利用、および、アクティブな空間の形成等のような新たな付加価値を居住者に提供する。これらの付加価値は主にスキップフロアにより提供される。スキップフロア単独ではなく、スキップフロアと他の要素との関係に視点を合わせた場合、スキップフロアを利用したさらなる付加価値の提供の余地が存在すると考えられる。特許文献１の室内構造では、ステージリビング(３１)からデスク(５１)を利用する居住者と、椅子に座る居住者とがコミュニケーションを取ることができる。これは、居住者が椅子に座ることを前提としたスキップフロアを利用した新たなコミュニケーションの場の提供に相当する。このような場とは別に、居住者の自然な動きを利用したコミュニケーションの場が提供されることにより、居住空間の付加価値が一層高くなると考えられる。
【課題を解決するための手段】
【０００５】
(１)本発明に関する建築物の室内構造は、リビングに面するスキップフロアと、前記リビングと前記スキップフロアとの間に設けられる主通路と、前記スキップフロアから利用できるように前記主通路と前記スキップフロアとの間に設けられるカウンターと、を備える。
上記建築物の室内構造によれば、スキップフロアに滞在する居住者はカウンターを利用できる。典型的な使用状態では、スキップフロアからカウンターを利用する居住者は主通路およびリビングを向く。リビングを往来する居住者は主通路を利用する。このため、主通路を利用する居住者は主通路を普通に移動する状態において、スキップフロアからカウンターを利用する居住者とコミュニケーションを取ることができる。このように、上記建築物の室内構造はリビングの往来のために居住者が頻繁に利用する主通路において、スキップフロアからカウンターを利用する居住者とのコミュニケーションが可能な居住空間を居住者に提供する。従来のスキップフロアが設置される室内構造では得られない新しいコミュニケーションの場が居住者に提供されることにより、居住者はその居住空間で生活することに関して高い価値を感じることができる。
【０００６】
(２)好ましい例では(１)に記載の建築物の室内構造において、前記スキップフロアに対する前記カウンターの天板の高さは前記スキップフロアに形成される前記リビング側の縁に腰掛けた状態での使用に適合するように設定される。
上記建築物の室内構造によれば、スキップフロアに滞在する居住者はスキップフロアの縁に腰掛けた状態でカウンターを利用できる。典型的な使用状態では、カウンターを利用する居住者の下肢がスキップフロアの正面側に置かれる。スキップフロアの縁を椅子の代わりに利用できるため、カウンターの利用のために椅子を設置する必要が生じない。このため、スキップフロアを広く活用できる。
【０００７】
(３)好ましい例では(１)または(２)に記載の建築物の室内構造において、前記主通路と前記スキップフロアとの間を昇降するための階段をさらに備え、前記階段は前記カウンターの隣に設置される。
上記建築物の室内構造によれば、階段を昇降する居住者がカウンターを手すりとして利用できる。このため、スキップフロアの利用に関する安全性が高くなる。
【０００８】
(４)好ましい例では(３)に記載の建築物の室内構造において、前記主通路に沿う方向における前記スキップフロアの一方の端と他の空間とを区画する壁をさらに備え、前記階段は前記カウンターと前記壁との間に設置される。
上記建築物の室内構造によれば、階段を昇降する居住者はさらに壁を手すりとして利用できる。このため、スキップフロアの利用に関する安全性が一層高くなる。
【０００９】
(５)好ましい例では(３)または(４)に記載の建築物の室内構造において、前記階段の段数は３段である。
上記建築物の室内構造によれば、フロアレベルに対するスキップフロアの高さが高いため、スキップフロアにより形成される空間の位置が高くなる。また、このようなスキップフロアからカウンターを利用できるため、カウンターを利用する居住者がリビングを見渡しやすく、反対にリビングを利用する居住者はカウンターを利用する居住者を視認しやすい。
【００１０】
(６)好ましい例では(１)〜(５)のいずれか一項に記載の建築物の室内構造において、前記カウンターの下方に設けられる足置きをさらに備える。
上記建築物の室内構造によれば、スキップフロアからカウンターを利用する居住者の負担が軽くなる。
【発明の効果】
【００１１】
本発明に関する建築物の室内構造によれば、新しいコミュニケーションの場を居住者に提供できる。
【図面の簡単な説明】
【００１２】
【図１】実施形態の室内構造を備える建築物の１階の平面図。
【図２】図１のカウンターおよびの周辺の構造を示す正面図。
【図３】図２のダイニング側からの斜視図。
【図４】図１の第３壁を省略した第３空間の正面図およびその周辺の正面図。
【図５】図２のカウンターの使用状態を示す図。
【発明を実施するための形態】
【００１３】
(実施形態)
図１を参照して、建築物１００の室内構造１０の一例について説明する。建築物１００の一例は個別住宅または集合住宅である。一例では、建築物１００は複数の階を含む個別住宅である。図１は個別住宅の１階の室内構造１０を示す平面図である。建築物１００の外壁１１０により囲まれる領域１００Ａは複数の壁１２０により区画される。領域１００Ａのうち複数の壁１２０により区画された箇所には、室内構造１０を構成する主な要素である室２０、通路３０、および、空間４０が形成される。
【００１４】
室２０、通路３０、および、空間４０の数、ならびに、配置は任意に選択可能である。一例では、室２０は玄関ホール２０Ａ、リビング２１、ダイニング２２、オープンキッチン２３、脱衣室２４、浴室２５、トイレ２６、および、オフィスルーム２７を含む。通路３０は主通路３１、第１通路３０Ａ、第２通路３０Ｂ、および、第３通路３０Ｃを含む。主通路３１はリビング２１と空間４０に設けられるスキップフロア５０との間に設けられる。第１通路３０Ａはダイニング２２およびオープンキッチン２３に面する。第２通路３０Ｂは脱衣室２４、浴室２５、および、トイレ２６に面する。第３通路３０Ｃはオフィスルーム２７に面する。リビング２１には家具が設置される。一例では、主通路３１に沿う位置、および、ダイニング２２に沿う位置にソファ３００が設置される。
【００１５】
空間４０は第１壁１２１、第２壁１２２、第３壁１２３、および、第４壁１２４により規定される空間である。空間４０は間仕切壁９０および段４０Ａにより第１空間４１、第２空間４２、第３空間４３、および第４空間４４に区分される。
【００１６】
第１空間４１には、スキップフロア５０が設けられる。第２空間４２には、収納階段２００が設置される。収納階段２００は建築物１００の１階と２階(図示略)とを繋ぐ。第３空間４３には、小カウンター４３Ａおよび椅子４３Ｂが設置される。第４空間４４は第１空間４１とオープンキッチン２３および第３空間４３とを繋げる通路である。
【００１７】
第１壁１２１は方向ＸＡに広がる。第１壁１２１は第１空間４１と第３通路３０Ｃとを区画する。第１壁１２１は主通路３１に沿う方向におけるスキップフロア５０の一方の端５０Ｂと他の空間とを区画する。他の空間の一例は第３通路３０Ｃである。第２壁１２２は方向ＸＢに広がる。第１壁１２１と第２壁１２２とは繋がる。第１壁１２１と第２壁１２２とは角１２０Ａを形成する。第２壁１２２は第２空間４２および第４空間４４と第２通路３０Ｂとを区画する。第３壁１２３は方向ＸＡに広がる。第３壁１２３は空間４０とオープンキッチン２３とを区画する。第４壁１２４は方向ＸＢに広がる。第３壁１２３と第４壁１２４とは繋がる。第３壁１２３と第４壁１２４とは角１２０Ｂを形成する。第４壁１２４は第３空間４３と主通路３１とを区画する。角１２０Ａと角１２０Ｂとは平面視において対角に位置する。
【００１８】
第１壁１２１の縁１２１Ａと第４壁１２４の縁１２４Ａとの間に開口１３１が形成される。開口１３１は第１空間４１と主通路３１とを繋げる。第３壁１２３の縁１２３Ａと第２壁１２２の縁１２２Ａとの間に開口１３２が形成される。開口１３２は第４空間４４とオープンキッチン２３とを繋げる。第４壁１２４の方向ＸＢの寸法と開口１３１の方向ＸＢの寸法とを合わせた寸法は、第２壁１２２の方向ＸＢの寸法と等しい。開口１３１の方向ＸＢの寸法は第４壁１２４の方向ＸＢの寸法よりも大きい。開口１３１の間口が広いため、スキップフロア５０とリビング２１および主通路３１との間の視認性が高くなる。第３壁１２３の方向ＸＡの寸法と開口１３２の方向ＸＡの寸法とを合わせた寸法は、第１壁１２１の方向ＸＡの寸法と等しい。開口１３２の方向ＸＡの寸法は第３壁１２３の方向ＸＡの寸法よりも小さい。開口１３２の間口が狭いため、オープンキッチン２３から小カウンター４３Ａが視認されにくい。
【００１９】
第３空間４３は第３壁１２３、第４壁１２４、および、間仕切壁９０に囲まれたワークスペースである。小カウンター４３Ａは第４壁１２４に沿って設置される。主通路３１とリビング２１との境界、第１通路３０Ａとオープンキッチン２３との境界、主通路３１と玄関ホール２０Ａとの境界、主通路３１と第３通路３０Ｃとの境界、リビング２１とダイニング２２との境界、および、オープンキッチン２３とダイニング２２との境界は設計上の境界である。第１壁１２１と間仕切壁９０との間には垂れ壁１２５(図２参照)が設置される。開口１３１は、第１壁１２１、間仕切壁９０、および、垂れ壁１２５により形成される。
【００２０】
建築物１００の室内構造１０は従来のスキップフロアが設置される室内構造では得られない新しいコミュニケーションの場を居住者に提供するための構造(以下「付加価値構造１１」)をさらに備える。付加価値構造１１を構成する主な要素はカウンター６０、足置き７０、階段８０、および、間仕切壁９０である。
【００２１】
図２および図３に示されるように、カウンター６０はスキップフロア５０から利用できるように主通路３１とスキップフロア５０との間に設けられる。カウンター６０は全体が空間４０に位置するように設置される。このため、主通路３１を利用する居住者がカウンター６０と接触しにくい。
【００２２】
カウンター６０は天板６１、および、天板６１を支持する脚６２を備える。天板６１は居住者がスキップフロア５０のリビング２１側の縁２１Ｂに腰掛けた状態で作業できるように、スキップフロア５０の床５０Ａよりも高い位置に設けられる。スキップフロア５０に対するカウンター６０の天板６１の高さは縁２１Ｂに腰掛けた状態での使用に適合するように設定される。このため、スキップフロア５０に滞在する居住者はスキップフロア５０の縁２１Ｂに腰掛けた状態でカウンター６０を利用できる。典型的な使用状態では、カウンター６０を利用する居住者の下肢がスキップフロア５０の正面側に置かれる。スキップフロア５０の縁２１Ｂを椅子の代わりに利用できるため、カウンター６０の利用のために椅子を設置する必要が生じない。このため、スキップフロア５０を広く活用できる。スキップフロア５０に対するカウンター６０の天板６１の高さＬＡは任意に選択できる。高さＬＡの最大値の一例は３５０ｍｍである。高さＬＡの最小値の一例は２７０ｍｍである。高さＬＡの好ましい一例は３００ｍｍである。
【００２３】
脚６２は第１脚６２Ａ、および、複数の第２脚６２Ｂを含む。一例では、第１脚６２Ａは板である。第１脚６２Ａは天板６１の長手方向の一方の端部６１Ａを支持する。複数の第２脚６２Ｂは天板６１の長手方向の中央を支持する。一例では、複数の第２脚６２Ｂは円柱である。天板６１の他方の端部６１Ｂは間仕切壁９０と接触している。
【００２４】
足置き７０はスキップフロア５０からカウンター６０を利用している居住者の足を支持できるように、天板６１の下方に設けられる。このため、スキップフロア５０からカウンター６０を利用する居住者の負担が軽くなる。一例では、足置き７０は直方体状の箱である。足置き７０は居住者の足を支持する支持面７１を含む。足置き７０は支持面７１が主通路３１よりも高い位置となるように設置される。主通路３１に対する支持面７１の高さＬＢは任意に選択できる。高さＬＢの最大値の一例は２３０ｍｍである。高さＬＢの最小値の一例は１８０ｍｍである。高さＬＢの好ましい一例は１８８．５ｍｍである。
【００２５】
階段８０は居住者が主通路３１とスキップフロア５０との間を昇降するために設けられる。階段８０はカウンター６０の第１脚６２Ａと第１壁１２１との間に設置される。階段８０を昇降する居住者はカウンター６０の天板６１を手すりとして利用できる。このため、スキップフロア５０の利用に関する安全性が高くなる。階段８０を昇降する居住者はさらに第１壁１２１を手すりとして利用できる。このため、スキップフロア５０の利用に関する安全性が一層高くなる。階段８０の段数は任意に選択できる。図示される第１例では、階段８０の段数は３段である。リビング２１のフロアレベルに対するスキップフロア５０の高さが高いため、スキップフロア５０により形成される空間の位置が高くなる。また、このようなスキップフロア５０からカウンター６０を利用できるため、カウンター６０を利用する居住者がリビング２１を見渡しやすく、反対にリビング２１を利用する居住者はカウンター６０を利用する居住者を視認しやすい。第２例では、階段８０の段数は１段、２段、または、４段以上である。カウンター６０の方向ＸＢの寸法は階段の方向ＸＢの寸法よりも長い。カウンター６０の幅が広いため、居住者はカウンター６０を利用して様々な作業を実施できる。作業の一例は勉強、読書、ノート型パーソナルコンピュータ等の電子機器の利用、および、飲食である。カウンター６０はスタディコーナーとして活用できる。主通路３１側から見て階段８０の奥には、収納階段２００の踊り場２１０が設置される.
【００２６】
間仕切壁９０は主通路３１に沿う方向におけるスキップフロア５０の他方の端５０Ｃと他の空間とを区画する。他の空間の一例は第３空間４３(図４参照)である。間仕切壁９０は一対の縦枠９１Ａ、９１Ｂ、棚９２、および、複数のスライド扉９３を備えている。一方の縦枠９１Ａは主通路３１および天井１４０に結合される。他方の縦枠９１Ｂは第４空間４４の床４４Ａ(図４参照)および天井１４０に結合される。棚９２は一対の縦枠９１Ａ、９１Ｂの間に設けられる。棚９２は枠９２Ａ、および、枠９２Ａに結合される複数の仕切板９２Ｂを備える。複数のスライド扉９３は棚９２に対してスライドできるように取り付けられる。複数のスライド扉９３は棚９２の開口を閉鎖する閉鎖状態、および、棚９２の開口を開放する開放状態を取り得る。スライド扉９３が閉鎖状態の場合、第３空間４３およびスキップフロア５０の一方から他方を視認できない。このため、第３空間４３を利用している居住者は作業に集中できる。スライド扉９３が開放状態の場合、第３空間４３およびスキップフロア５０の一方から他方を視認できる。このため、第３空間４３を利用している居住者はスキップフロア５０に存在する居住者の様子を確認しながら作業を行なうことができる。
【００２７】
室内構造１０の利用方法の一例について説明する。スキップフロア５０に滞在する居住者はカウンター６０を利用して様々な作業を実施できる。スキップフロア５０に滞在する居住者はスライド扉９３が開放状態である場合、間仕切壁９０を介して第３空間４３に滞在する居住者とコミュニケーションを取ることができる。スキップフロア５０に滞在する居住者はカウンター６０を利用しながら主通路３１を移動する居住者、主通路３１に滞在する居住者、または、リビング２１に滞在する居住者とコミュニケーションを取ることができる。カウンター６０を利用するスキップフロア５０に滞在する居住者と主通路３１を移動する居住者、または、主通路３１に滞在する居住者とが自然にコミュニケーションを取ることができるため、カウンター６０およびスキップフロア５０がリビング２１の一部のように機能する。これは、カウンター６０およびスキップフロア５０によりリビング２１が拡張された状態に相当する。
【００２８】
主通路３１を移動する居住者、または、主通路３１に滞在する居住者もカウンター６０を利用して様々な作業を実施できる。主通路３１を移動する居住者、または、主通路３１に滞在する居住者は主通路３１を普通に移動しながら、または、主通路３１に立ち止まり、カウンター６０を介してスキップフロア５０に滞在する居住者とコミュニケーションを取ることができる。主通路３１を移動する居住者、または、主通路３１に滞在する居住者は主通路３１を普通に移動しながらスキップフロア５０の様子を確認できる。また、オープンキッチン２３と第３空間４３とが隣接するため、居住者は開口１３２を利用してオープンキッチン２３と第３空間４３との間を速やかに移動できる。調理にともない待機時間が生じた場合、居住者は第３空間４３で過ごすことができる。また、オープンキッチン２３での作業中にスキップフロア５０の様子を確認したい場合、第４空間４４に移動し、第４空間４４または第３空間４３からスキップフロア５０の様子を速やかに確認できる。第３空間４３まわりに、オープンキッチン２３、ダイニング２２、主通路３１、階段８０、スキップフロア５０、および、第４空間４４を繋ぐ動線が形成される。このため、第３空間４３に滞在する居住者は第４空間４４とオープンキッチン２３、ダイニング２２、リビング２１、および、スキップフロア５０との間を速やかに移動できる。
【００２９】
建築物１００の室内構造１０によれば、次のような作用および効果が得られる。
図５に示されるように、スキップフロア５０に滞在する居住者はカウンター６０を利用できる。典型的な使用状態では、スキップフロア５０からカウンター６０を利用する居住者は主通路３１およびリビング２１を向く。リビング２１を往来する居住者は主通路３１を利用する。このため、主通路３１を利用する居住者は主通路３１を普通に移動する状態において、スキップフロア５０からカウンター６０を利用する居住者とコミュニケーションを取ることができる。このように、建築物１００の室内構造１０はリビング２１の往来のために居住者が頻繁に利用する主通路３１において、スキップフロア５０からカウンター６０を利用する居住者とのコミュニケーションが可能な居住空間を居住者に提供する。従来のスキップフロアが設置される室内構造では得られない新しいコミュニケーションの場が居住者に提供されることにより、居住者はその居住空間で生活することに関して高い価値を感じることができる。
【００３０】
(変形例)
上記実施形態は本発明に関する建築物の室内構造が取り得る形態の例示であり、その形態を制限することを意図していない。本発明に関する建築物の室内構造は実施形態に例示された形態とは異なる形態を取り得る。その一例は、実施形態の構成の一部を置換、変更、もしくは、省略した形態、または、実施形態に新たな構成を付加した形態である。
【００３１】
・カウンター６０の構成は任意に変更可能である。一例では、カウンター６０はスキップフロア５０に対する天板６１の高さを段階的に調節できるように構成される。この例では、天板６１を支持する脚６２が段階的に伸縮可能に構成される。スキップフロア５０からカウンター６０を利用する居住者の体格に応じてスキップフロア５０に対するカウンター６０の高さを調節できるため、カウンター６０の利便性が高められる。
【符号の説明】
【００３２】
２１  ：リビング
３１  ：主通路
５０  ：スキップフロア
６０  ：カウンター
６１  ：天板
７０  ：足置き
８０  ：階段
１２１：第１壁(壁)
【図１】
2019148100.tif 000003
【図２】
2019148100.tif 000004
【図３】
2019148100.tif 000005
【図４】
2019148100.tif 000006
【図５】
2019148100.tif 000007